【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】
受信した信号（１４ａ、１４ｂ）から、Ｎ次の複素分割型単チャネル変調装置の入力信号（１ａ、１ｂ）を再生するタイプの単チャネル同期復調装置であって、前記複素分割型単チャネル変調装置によって、前記入力信号が、送信される信号（７ａ、７ｂ）を得ることができるように、複素分割され、さらに直交変調され、前記入力信号が伝送速度Ｄを有し、前記送信される信号及び前記受信した信号が各々伝送速度Ｎ・Ｄを有し、
前記受信した信号から、伝送速度Ｎ・Ｄを有する復調された信号（１６ａ、１６ｂ）を生成する直交復調手段（１５）と、
前記復調された信号から、伝送速度Ｎ・Ｄを有する分割解除された信号（１８ａ、１８ｂ）を生成する複素分割解除手段（１７）と、
前記の分割解除された信号から、伝送速度Ｄを有する合計信号（２１ａ、２１ｂ）を生成するＮ個のサンプルの合計手段（２０）と、
前記復調された信号において生じる位相差の推定及び補正ループであって、
前記合計信号の引数を取入れる手段（２４）、
範囲［−π／（２ｘ）、π／（２ｘ）］に合計信号の引数を戻すことができる所定の関数の適用手段（２６ａ、２６ｂ）であって、ｘは、前記入力信号が実数型であるか複素数型であるかによって１または２となり、前記の所定の関数の前記合計信号の引数に対する適用結果が、前記位相差の推定の値（２７ａ、２７ｂ）を構成する適用手段、及び
前記復調された信号の位相または前記分割解除された信号の位相から、前記位相差の推定値を減算する手段（３２）を備えるループと、
それ自体が、前記所定の関数の適用によって生じる位相の残留する静的不確定性を取除く手段（３８ａ、３８ｂ）を備える、前記合計信号から前記入力信号を再生する手段（２２）とを有することを特徴とする装置。
【請求項２】
受信した信号（１４ｃ、１４ｄ）から、Ｎ次の複素分割型多重チャネル変調装置の複数の入力信号（２ｃ，０〜２ｃ，ｋ、２ｄ，０〜２ｄ，ｋ）を再生するタイプの多重チャネル同期復調装置であって、前記多重チャネル変調装置によって、前記入力信号の各々が、複数のチャネル（１１ｃ，０〜１１ｃ，ｋ、１１ｄ，０〜１１ｄ，ｋ）を得ることができるように、別々の直交コードを乗算され、前記複数のチャネルが、同一の多重チャネル信号（１３ｃ、１３ｄ）にまとめられ、前記多重チャネル信号が、送信される信号（７ｃ、７ｄ）を得ることができるように、複素分割され、さらに直交変調され、前記入力信号の各々が伝送速度Ｄを有し、前記送信される信号及び前記受信した信号が各々伝送速度Ｎ・Ｄを有し、
前記受信した信号から、伝送速度Ｎ・Ｄを有する復調された信号（１６ｃ、１６ｄ）を生成する直交復調手段（１５）と、
前記復調された信号から、伝送速度Ｎ・Ｄを有する分割解除された信号（１８ｃ、１８ｄ）を生成する複素分割解除用手段（１７）とを備え、
さらに、
複数の処理ブランチであって、各々が前記複数のチャネル中から与えられた一つのチャネルに結び付けられ、
前記一定チャネルに固有の伝送速度Ｎ・Ｄを有する分割解除された信号（４１ｃ，０〜４１ｃ，ｋ、４１ｄ，０〜４１ｄ，ｋ）を得ることができるように、前記の一定チャネルに固有の直交コード（Ｈ０〜Ｈｋ）で前記分割解除された信号を乗算する手段（４００〜４０ｋ）および、
前記一定チャネルに固有の前記の分割解除された信号から、伝送速度Ｄを有する、前記一定チャネルに固有の合計信号（２１ｃ，０〜２１ｃ，ｋ、２１ｄ，０〜２１ｄ，ｋ）を生成するＮ個のサンプルの合計手段（２００〜２０ｋ）を備えた複数の処理ブランチと、
前記復調された信号に生じた位相差の推定及び補正ループであって、
前記処理ループの各々において
前記一定チャネルに固有の前記合計信号の引数を取入れる手段（２４ｃ，０〜２４ｃ，ｋ、２４ｄ，０〜２４ｄ，ｋ）、及び
範囲［−π／（２ｘ）、π／（２ｘ）］の中に、前記一定チャネルに固有の合計信号の引数を戻すことができる所定の関数の適用手段（２６ｃ，０〜２６ｃ，ｋ、２６ｄ，０〜２６ｄ，ｋ）であって、ｘは、前記一定チャネルの前記入力信号が実数型であるか複素数型であるかによって１または２となり、前記所定の関数を、前記一定チャネルに固有の合計信号の引数に適用した結果が、前記位相差の推定の値（２７ｃ，０〜２７ｃ，ｋ、２７ｄ，０〜２７ｄ，ｋ）を構成する適用手段と、
前記位相差の平均推定値（４３ｃ、４３ｄ）を得ることができるように、前記処理ブランチによって与えられた前記位相差の推定値平均化手段（４２）と、
前記復調された信号の位相または前記分割解除された信号の位相から、前記位相差の平均推定値を減算する手段（３２）を備えるループと、
処理ブランチの各々についてそれ自体が、前記所定の関数の適用によって生じる位相の残留する静的不確定性を取除く手段を備える、一定チャネルに固有の前記合計信号から、一定チャネルの前記入力信号を再生する手段（２２ｃ，０〜２２ｃ，ｋ、２２ｄ，０〜２２ｄ，ｋ）とを有することを特徴とする装置。
【請求項３】
前記所定の関数が、ｆ（Φ）＝（（Φ＋π／（２ｘ））％（π／ｘ））−π／（２ｘ）と表わされ、％は「モジュロ」関数であることを特徴とする請求項１または２に記載の装置。
【請求項４】
前記ループがさらに、
前記ループの動的特性を調整できるように、設定されたスカラによって、前記位相差の推定値または前記位相差の平均推定値を乗算する手段（２８）と、
前記位相差の累積推定値を得ることができるように、所定の期間について、前記位相差の推定値または前記位相差の平均推定値を積分する手段（３０）とを有する群に属する手段の少なくともいくつかを備えていることを特徴とする請求項１から３のいずれか一項に記載の装置。
【請求項５】
前記入力信号または前記入力信号の各々が、
伝送速度Ｄ（ｘ＝１の場合）の実数型入力信号と、
各々が、伝送速度２Ｄの実数型ソース信号から、実数型から複素数型への直列／並列変換器によって生成される伝送速度Ｄの（ｘ＝２の場合）複素数型入力信号とを有する群に属することを特徴とする請求項１から４のいずれか一項に記載の装置。
【請求項６】
入力信号または前記入力信号の各々の前記再生手段がさらに、
前記入力信号が実数型信号の場合に、実数部分を取入れる手段（３６）と、
閾値化手段（３９）と、
畳込み符号化手段が送信に利用される場合に、ヴィテルビタイプの復号手段（３９）とを有する群に属する手段の少なくともいくつかを備えることを特徴とする請求項１から５のいずれか一項に記載の装置。
【請求項７】
前記位相の残留する静的不確定性を取除く手段が、差分符号化／復号手段を有することを特徴とする請求項１から６のいずれか一項に記載の装置。
【請求項８】
畳込み符号化手段が送信に利用され、前記入力信号の再生手段が、ヴィテルビタイプの復号手段（３９）を有し、
さらに、前記位相の残留する静的不確定性を取除く手段（３８ａ、３８ｂ）が、
前記ヴィテルビタイプの復号手段の入力に存在する信号の位相を、所定の値の集合の中から選択された値の分だけずらすことができる移相手段（３８ａ，ｘ、３８ｂ，ｘ）と、
分析結果に応じて、前記移相手段に、位相差の値の一つの選択を示す前記ヴィテルビタイプの復号手段の出力信号の分析手段（３８ａ，ｙ、３８ｂ，ｙ）とを有することを特徴とする請求項１から７のいずれか一項に記載の装置。
【請求項９】
前記予め定められた位相差の値の集合が、
前記入力信号または前記入力信号の各々が実数型信号である場合には、０及びπの値と、
前記入力信号または前記入力信号の各々が複素数型信号である場合には、０、π／２、π、３π／２の値を有することを特徴とする請求項８に記載の装置。
【請求項１０】
各々が別々のダイバーシティ経路に対応する、請求項１から９のいずれか一項に記載の少なくとも二つの単チャネルまたは多重チャネル同期復調装置を有する受信アセンブリであって、
前記入力信号または前記入力信号の各々について、前記ダイバーシティ経路の各々の合計手段（２０）によって印加されるさまざまな合計信号（Ｓ０〜Ｓ２）から、前記入力信号を再生する手段（５０）を備え、
さらに前記再生手段（５０）自体が、
最大利得を有する最終的な結合信号（５３）を得ることができるように、前記さまざまな合計信号を結合する手段（５２）と、
前記ダイバーシティ経路の各々に対して、前記所定の関数を適用することによって生じる前記最終的な結合信号の位相の残留する静的不確定性を取除く手段（５４）とを有することを特徴とするアセンブリ。
【請求項１１】
前記さまざまな合計信号の結合手段（５２）が、縦続接続されたｎＧ個の手段（Ｇ１、Ｇ２）の群を有し、ここで、ｎＧ＝ｎＳ−１であり、ｎＳは結合される合計信号の数（ｎ≧２）であり、各手段群が
移相合計信号を得ることができるように、先行する手段群の出力に存在する結合信号または前記さまざまな合計信号の最初の位相を、所定の値の集合の中から選択された値の分だけずらすことができる移相手段（５６）と、
結合信号を生成できるように、前記さまざまな合計信号の他の一つとともに前記移相合計信号の加算手段（５７）と、
前記結合信号が最大利得をもつような、位相差の値の最終的な選択を行なう前記移相手段のパイロット手段（５８）とを有し、
さらに、前記結合手段（５２）が、前記先行する手段群の前記パイロット手段が前記の最終選択を行った場合にのみ、前記先行する手段群によって生成される結合信号を受取る手段群を有し、
この手段群によって生成される結合信号が、最終的な前記結合信号を構成することを特徴とする請求項１０に記載のアセンブリ。
【請求項１２】
前記位相差の値の所定の集合が
前記入力信号または前記入力信号の各々が実数型信号である場合には、０及びπの値と、
前記入力信号または前記入力信号の各々が複素数型信号である場合には、０、π／２、π、３π／２の値を有することを特徴とする請求項１１に記載のアセンブリ。